(57)【要約】  【課題】パッキンの経時的な磨耗を防止できる電気掃除機を提供する。  【解決手段】掃除機本体２に設けた筒状の取付部９内に筒状のパッキン68を取り付ける。取付部９の上端部に挿入した延長管８の先端部と、取付部９の下端部に挿入した床ブラシ11の基端部とで、パッキン68の上側当接部72および下側当接部73を挟持して延長管８と床ブラシ11とを気密に連結する。延長管８および床ブラシ11とパッキン68との摺接部分がなくなることで、パッキン内に延長管および床ブラシを挿入する従来の構成と比較して、パッキン68の経時的な磨耗を防止できる。  【選択図】図１
2005118305.tif 000002
【特許請求の範囲】
【請求項１】
電動送風機を収容した掃除機本体と、
この掃除機本体に設けられた筒状の取付部と、
前記電動送風機の吸込側に連通し先端部が前記取付部の一端部に挿脱可能な延長管と、
この延長管の吸込側に連通され基端部が前記取付部の他端部に挿脱可能な吸込口体と、
前記取付部内の前記延長管および前記吸込口体の間に位置し、一端面および他端面をそれぞれ前記延長管および前記吸込口体により挟持されて気密に連結する筒状のパッキンと
を具備したことを特徴とした電気掃除機。
【発明の詳細な説明】
【技術分野】
【０００１】
本発明は、掃除機本体に設けられた取付部に延長管および吸込口体が挿入される電気掃除機に関する。
【背景技術】
【０００２】
従来、この種の電気掃除機は、電動送風機を収容した掃除機本体を備えている。この掃除機本体には、筒状の取付部が設けられている。この取付部の両端開口の内周縁部には、筒状のゴムパッキンがそれぞれ取り付けられている。また、この取付部の一端部には、吸込口体としての床ブラシが着脱可能に挿入され、電動送風機の吸込側と気密に連結されている。さらに、この取付部の他端部には、ホース体が着脱可能に挿入され、床ブラシの排気側および電動送風機の吸込側にそれぞれ気密に連結されている（例えば、特許文献１参照。）。
【特許文献１】特開２０００−１９７５９１号公報（第４−５頁、図６）
【発明の開示】
【発明が解決しようとする課題】
【０００３】
しかしながら、上述の電気掃除機では、取付部の両端開口の内周縁部に設けられたゴムパッキン内にホース体および床ブラシを挿入しているため、ホース体、あるいは床ブラシを着脱させる度にこれらホース体および床ブラシの外周面とゴムパッキンの内周面とが互いに摺接し、ゴムパッキンが経時的に磨耗するという問題点を有している。
【０００４】
本発明は、このような点に鑑みなされたもので、パッキンの経時的な磨耗を防止できる電気掃除機を提供することを目的とする。
【課題を解決するための手段】
【０００５】
本発明は、掃除機本体に設けられた筒状の取付部と、電動送風機の吸込側に連通し先端部が取付部の一端部に挿脱可能な延長管と、この延長管の吸込側に連通され基端部が取付部の他端部に挿脱可能な吸込口体と、取付部内の延長管および吸込口体の間に位置し、一端面および他端面をそれぞれ延長管および吸込口体により挟持されて気密に連結する筒状のパッキンとを具備したものである。そして、掃除機本体に設けられた筒状の取付部内の延長管および吸込口体に位置した筒状のパッキンの一端面および他端面をそれぞれ延長管の先端部および吸込口体の基端部で挟持して気密に連結することで、延長管および吸込口体とパッキンとの摺接部分をなくし、パッキンの経時的な磨耗を防止することが可能になる。
【発明の効果】
【０００６】
本発明によれば、延長管および吸込口体の間に位置した筒状のパッキンの一端面および他端面をそれぞれ延長管の先端部および吸込口体の基端部で挟持して気密に連結することで、延長管および吸込口体とパッキンとの摺接部分をなくし、パッキンの経時的な磨耗を防止できる。
【発明を実施するための最良の形態】
【０００７】
以下、本発明の一実施の形態の電気掃除機の構成を図１ないし図５を参照して説明する。
【０００８】
図１および図５において、１は電気掃除機で、この電気掃除機１は、いわゆるアップライト型すなわちスティック型の掃除機である。また、この電気掃除機１は、上下方向に沿って長手状の掃除機本体２を備えており、この掃除機本体２には、下側に電動送風機３が収容され、この電動送風機３の上方に、集塵部４が設けられている。さらに、この掃除機本体２は、集塵部４の吸込側に連通するホース体５が後側の上部に接続され、このホース体５の吸込側である先端部には、円筒状の接続管部６、握り管部７および延長管８が順次連通接続されている。またさらに、この延長管８の吸込側である先端部は、掃除機本体２の後側下部に設けられた筒状の取付部９の一端部である上端部に挿入されている。そして、取付部９の他端部である下端部には、吸込口体としての床ブラシ11の排気側である基端部が挿入されて連結されている。
【０００９】
掃除機本体２は、電気掃除機１を持ち運び可能にする円弧状の取手部12が上端部に設けられている。また、この掃除機本体２の後側の上部には、延長管８を着脱可能に固定する図示しない延長管固定部が設けられている。さらに、掃除機本体２の後部には、電動送風機３の排気側に連通する長孔状の複数の排気孔14が穿設されている。
【００１０】
電動送風機３は、吸込側を上側に向けた状態で掃除機本体２内に収容されている。また、この電動送風機３は、吸込側が集塵部４に気密に連結されている。さらに、この電動送風機３は、掃除機本体２の後部に回転可能に設けられたコードリール22に引き出しおよび巻き取り可能に巻回された図示しない電源コードを介して、図示しない外部電源から供給される電力で駆動される。
【００１１】
集塵部４は、排気側である下端部が電動送風機３の吸込側に気密に連結されているとともに、吸込側である上端部がホース体５の排気側である基端部に気密に連結されている。この集塵部４は、例えば電動送風機３の駆動により床ブラシ11などから空気とともに吸い込まれた塵埃に直進方向の慣性力を与えて空気から分離して捕集するものである。
【００１２】
ホース体５は、可撓性を有する合成樹脂などで細長い蛇腹円筒状に設けられ、軸方向へと伸縮可能に設けられている。
【００１３】
接続管部６は、ホース体５よりも硬質の合成樹脂などで円筒状に形成され、ホース体５と同軸状に設けられてこのホース体５の先端部に連通している。また、この接続管部６は、握り管部７の排気側である基端部に着脱可能に連通接続される。
【００１４】
握り管部７は、接続管部６の吸込側である先端部および延長管８の排気側である基端部にそれぞれ連通する略円筒状の本体部41と、この本体部41から径方向に突出した把持部42とを備えている。この把持部42は、本体部41の先端側の外側面から突出し、本体部41の基端側へと屈曲されている。また、この把持部42には、電動送風機３を所定の駆動モードで駆動させる図示しない複数の設定ボタンが設けられている。
【００１５】
延長管８は、電気掃除機１を作業者が操作する際のアームとなるもので、例えばアルミニウムなどの金属で細長円筒状すなわち長手状に形成されている。この延長管８は、握り管部７、接続管部６、ホース体５および集塵部４を介して電動送風機３の吸込側に連通している。
【００１６】
また、この延長管８の基端部近傍には、この延長管８を掃除機本体２の延長管固定部に対して着脱可能に固定する基端固定部45が同軸状に設けられている。さらに、この延長管８の先端部の外周面には、取付部９に挿入される筒状の先端固定部46が同軸状に設けられている。この先端固定部46は、例えば硬質の合成樹脂などで成形され、外側部の一部が直線状で他の部分が円弧状の平面視略Ｄ字状となっている。そして、この先端固定部46は、取付部９に挿脱可能となっている。
【００１７】
取付部９は、図４に示すように、中心軸方向に向けて突出したリブ状のパッキン取付座部65が内部の上下方向の略中心域に設けられ、このパッキン取付座部65の上側および下側にそれぞれ延長管側収容部66および吸込口体側収容部67が区画形成されている。
【００１８】
パッキン取付座部65は、取付部９の内側面全周に設けられ、内形が平面視で円形状に設けられている。また、このパッキン取付座部65は、取付部９内に挿入された延長管８の先端部および床ブラシ11の基端部の外形よりも小さい内径を有している。さらに、このパッキン取付座部65には、パッキン68が取り付けられている。
【００１９】
延長管側収容部66は、内側面の後側が平面視で直線状に設けられ、前側が円弧状に設けられて、先端固定部46の外形に対応した形状となっている。すなわち、延長管側収容部66は、内側部が平面視で略Ｄ字状に形成されている。また、この延長管側収容部66は、延長管８の先端固定部46全体を収容可能な深さ寸法を有している。
【００２０】
吸込口体側収容部67は、内側面が円形状に形成されている。
【００２１】
そして、パッキン68は、例えばゴム、あるいはエラストマなどの可撓性および弾力性を有する軟質の合成樹脂で筒状に成形されている。また、このパッキン68は、図２および図３に示すように、略円筒状に設けられたパッキン本体部71と、このパッキン本体部71の一端部である上端部および他端部である下端部にそれぞれ設けられた上側当接部72および下側当接部73とを備え、これら上側当接部72および下側当接部73によりパッキン取付座部65を挟持するように取り付けられている。
【００２２】
パッキン本体部71は、パッキン取付座部65の内径寸法と略等しい外径寸法を有している。
【００２３】
上側当接部72は、パッキン本体部71の上端部からフランジ状に外方に突出し、取付部９の延長管側収容部66側に位置している。また、この上側当接部72は、延長管側収容部66の内形に沿った外形を有している。すなわち、上側当接部72は、平面視で略Ｄ字状に設けられている。さらに、この上側当接部72は、パッキン取付座部65の延長管側収容部66側の面である上端面に当接する上側第１リップ部75と、この上側第１リップ部75の上方に離間された上側第２リップ部76とを備えている。
【００２４】
これら上側第１リップ部75と上側第２リップ部76とは、それぞれ略等しい外形を有しており、互いに平行に離間されている。また、パッキン68の一端面である上端面となる上側第２リップ部76の上端面は、平面状に形成され、延長管８の先端固定部46の下端部に面状に接触する。
【００２５】
下側当接部73は、パッキン本体部71の下端部からフランジ状に外方に突出し、取付部９の吸込口体側収容部67側に位置している。また、この下側当接部73は、吸込口体側収容部67の内形に沿った平面視で円形状の外形を有している。さらに、この下側当接部73は、パッキン取付座部65の吸込口体側収容部67側の面である下端面に当接する下側第１リップ部77と、この下側第１リップ部77の下方に離間された下側第２リップ部78とを備えている。
【００２６】
これら下側第１リップ部77と下側第２リップ部78とは、それぞれ略等しい外形を有しており、互いに平行に離間されている。また、パッキン68の他端面である下端面となる下側第２リップ部78の下端面は、平面状に形成され、床ブラシ11の連通管82の上端部に面状に接触する。
【００２７】
すなわち、パッキン68は、図１および図４に示すように、延長管８および床ブラシ11により上下から挟持されている。
【００２８】
そして、床ブラシ11は、図５などに示すように、被掃除面としての床面に設置されて電気掃除機１を支持するもので、延長管８を取付部９の上端部に挿入した状態で、取付部９を介して延長管８の吸込側である先端部に連通している。
【００２９】
また、この床ブラシ11は、図１および図４に示すように、床面に対向する下部に図示しない吸込口が開口形成された中空な横長のケース体81を備えている。このケース体81の後部には、吸込口に連通する円筒状の連通管82が回動可能に突設されている。
【００３０】
ここで、この連通管82は、取付部９の下端部に挿脱可能に設けられ、取付部９の後部に設けられたブラシ用クランプ83により取付部９から着脱可能となっている。また、この連通管82は、基端部が平面状に設けられ、下側当接部73の下側第２リップ部78を下側第１リップ部77に押し付けた状態でパッキン68に対して気密に当接している。
【００３１】
さらに、床ブラシ11の連通管82の両側部には、ブラシ従動輪84が回転自在にそれぞれ設けられている。これらブラシ従動輪84により、電気掃除機１が床面を前後に走行可能となっている。
【００３２】
次に、上記一実施の形態の作用を説明する。
【００３３】
延長管８を掃除機本体２に接続する際には、延長管８の先端固定部46を取付部９の形状に合わせてこの取付部９の上部から挿入すると、延長管８の先端固定部46の下端部がパッキン68の上側当接部72の上側第２リップ部76の上端面に当接し、この上側第２リップ部76が延長管８などの重量により相対的に下方向に可撓変形して上側第１リップ部75の上端面に押し付けられ、延長管８が気密な状態で取付部９に連結される。
【００３４】
また、床ブラシ11を掃除機本体２に接続する際には、連通管82を取付部９の下部から挿入すると、連通管82の上端部がパッキン68の下側当接部73の下側第２リップ部78の下端面に当接し、この下側第２リップ部78が掃除機本体２などの重量により相対的に上方向に可撓変形して下側第１リップ部77の下端面に押し付けられ、床ブラシ11の連通管82が気密な状態で取付部９に連結される。
【００３５】
次に、上記一実施の形態による掃除動作を説明する。
【００３６】
通常の掃除の際には、延長管８を取付部９に連結した状態で、電源コードを図示しないコンセントに接続し、握り管部７の把持部42を把持して所定の設定ボタンを操作し、電動送風機３を駆動させる。
【００３７】
そして、作業者は、把持部42を把持して電気掃除機１を前後に走行させて、床ブラシ11の吸込口から床面の塵埃を吸い込んで掃除する。
【００３８】
また、例えばドアレールなど、床ブラシ11の幅が入らないような狭い場所などを掃除する際には、延長管８を掃除機本体２から取り外し、この延長管８の先端部から塵埃を吸い込む。
【００３９】
さらに、机の上などを掃除する場合には、接続管部６を握り管部７から取り外し、この接続管部６の先端部から塵埃を吸い込む。
【００４０】
そして、塵埃とともに吸い込まれた空気は吸込風となり、この吸込風とともに塵埃がホース体５を介して集塵部４へと流入し、この集塵部４で直進方向の慣性力を与えられて塵埃と吸込風とが分離され、塵埃が捕集される。
【００４１】
塵埃を捕集された吸込風は、電動送風機３を通過して排気風となり、排気孔14から掃除機本体２の外部へと排気される。
【００４２】
上述したように、上記一実施の形態では、掃除機本体２に設けられた筒状の取付部９内に筒状のパッキン68を取り付け、取付部９の上端部に挿入された延長管８の先端部と、取付部９の下端部に挿入された床ブラシ11の基端部とで、パッキン68の上側当接部72および下側当接部73を挟持して、これら延長管８と床ブラシ11とを気密に連結する構成とした。
【００４３】
この結果、延長管８および床ブラシ11とパッキン68との摺接部分がなくなることで、パッキン内に延長管および床ブラシを挿入する従来の構成と比較して、パッキン68の経時的な磨耗を防止でき、パッキン68の長寿命化を図ることができる。
【００４４】
また、パッキン68の経時的な磨耗を防止することで、パッキン68の磨耗による電気掃除機１の吸込効率の低下を防止でき、信頼性を向上できる。
【００４５】
さらに、パッキン68のパッキン本体部71の外周面をパッキン取付座部65に嵌合させてこのパッキン取付座部65を上側当接部72および下側当接部73で挟持することでパッキン68を取付部９に取り付けできるので、パッキン68の取り付けに例えば接着剤などを用いる必要がなく、製造性を向上できる。
【００４６】
そして、パッキン68の上側当接部72および下側当接部73に、それぞれ上側第１リップ部75と上側第２リップ部76、および、下側第１リップ部77と下側第２リップ部78を設けることにより、延長管８および床ブラシ11を取付部９に挿入した際に、各リップ部76，78がそれぞれ可撓変形して各リップ部75，77に当接して延長管８と上側当接部72との隙間、あるいは床ブラシ11の連通管82と下側当接部73との隙間を確実に閉塞するため、延長管８および床ブラシ11の気密性を、より向上できる。
【００４７】
また、延長管および床ブラシをパッキンに挿入する従来の構成では、パッキンの厚みが比較的小さい場合には、それぞれを挿入するための複数のパッキンが必要であり、また、パッキンを単独にするためには、パッキン自体の厚みを大きくする必要があったが、上記一実施の形態では、延長管８および床ブラシ11でパッキン68を上下から挟持しているため、比較的厚みが小さい単独のパッキン68のみで延長管８および床ブラシ11を互いに気密に連結させることができるので、省スペース化できるとともに製造コストをも抑制できる。
【００４８】
なお、上記一実施の形態において、取付部９の内形形状は、延長管８の先端固定部46、および、床ブラシ11の連通管82の外形形状などに対応させて設定する。
【００４９】
同様に、パッキン68の外形形状などは、取付部９の内形形状に応じて設定する。
【００５０】
また、電気掃除機１の細部は、上記構成に限定されるものではない。
【図面の簡単な説明】
【００５１】
【図１】本発明の一実施の形態の電気掃除機の一部を切り欠いて示す分解斜視図である。
【図２】同上電気掃除機のパッキンを示す斜視図である。
【図３】同上パッキンを示す図２のＡ−Ａ断面図である。
【図４】同上電気掃除機の一部を示す縦断面図である。
【図５】同上電気掃除機を示す斜視図である。
【符号の説明】
【００５２】
１    電気掃除機
２    掃除機本体
３    電動送風機
８    延長管
９    取付部
11    吸込口体としての床ブラシ
68    パッキン
【図１】
2005118305.tif 000003
【図２】
2005118305.tif 000004
【図３】
2005118305.tif 000005
【図４】
2005118305.tif 000006
【図５】
2005118305.tif 000007